(57)【要約】【課題】写真印刷物を収納整理するための既製アルバムを保管しておき、写真画像の印刷販売時に、正規な顧客に対してのみアルバムを提供できると共に、表紙に任意の写真画像を印刷した私用アルバムを提供できるようにする。【解決手段】写真プリントを収納整理するための既製アルバムが保管されている状態において、写真プリンタ装置１８は、印刷対象として指定された各写真画像を個別に印刷して写真プリントとして排出し、写真アルバム処理装置１９は、表紙画像として任意に選択された写真画像を表紙部に印刷してアルバムを排出する。【選択図】  図２
2005212427.tif 000002
【特許請求の範囲】
【請求項１】
写真画像を印刷して販売する写真画像印刷販売装置であって、
写真印刷物を収納整理するための既製アルバムを保管する保管手段と、
アルバムの表紙に印刷される表紙画像を写真画像の中から任意に選択する選択手段と、
印刷対象として指定された各写真画像を個別に印刷して排出すると共に、前記表紙画像として選択された写真画像をアルバムの表紙に印刷する印刷手段と、
この印刷手段によって表紙画像が施されたアルバムを排出するアルバム提供手段と、
を具備したことを特徴とする写真画像印刷販売装置。
【請求項２】
前記保管手段は、写真印刷物を収納整理するために写真印刷物のサイズに応じた大きさの収納ポケットを持ったアルバムをサイズ別に複数種保管し、
前記印刷手段は、印刷対象の写真画像およびその印刷サイズが任意に指定された際に、指定された印刷対象画像をその指定サイズで個別に印刷する他、当該指定サイズに対応する種類のアルバムを選択し、このアルバムの表紙に前記選択された写真画像を印刷する、
ようにしたことを特徴とする請求項1記載の写真画像印刷販売装置。
【請求項３】
前記選択手段は、顧客から入力された各写真画像の中からアルバム表紙用として任意に指定された写真画像を選択する、
ようにしたことを特徴とする請求項1記載の写真画像印刷販売装置。
【請求項４】
前記選択手段は、前記印刷対象として任意に指定された各写真画像の中からアルバム表紙用として任意に指定された写真画像を選択する、
ようにしたことを特徴とする請求項1記載の写真画像印刷販売装置。
【請求項５】
写真印刷物を印刷した印刷枚数を計数する計数手段と、
この計数手段によって得られた印刷枚数に応じてアルバムの必要部数を決定する決定手段と、
を設け、前記選択手段によって前記決定部数に対応する複数の写真画像が選択された場合に、前記印刷手段は、当該部数分の各アルバムに前記選択された何れかの写真画像を対応付けることによって各アルバムの表紙に異なる写真画像をそれぞれ印刷する、
ようにしたことを特徴とする請求項1記載の写真画像印刷販売装置。
【請求項６】
コンピュータに対して、
写真印刷物を収納整理するための既製アルバムが保管されている状態において、このアルバムの表紙に印刷される表紙画像を写真画像の中から任意に選択する機能と、
印刷対象として指定された各写真画像を個別に印刷して排出すると共に、前記表紙画像として選択された写真画像をアルバムの表紙に印刷する機能と、
表紙画像が施されたアルバムを排出する機能と、
を実現させるためのプログラム。
【請求項７】
写真画像を印刷して販売する写真画像印刷販売装置であって、
写真印刷物を収納整理するための既製アルバムを保管する保管手段と、
印刷対象の写真画像を個別に印刷することによってその印刷状況を検出する検出手段と、
この検出手段によって検出された印刷状況が所定条件を満たしているか否かを判定する判定手段と、
この判定手段によって所定条件を満たしていることが判定された場合に、任意に指定されたデータをアルバムの表紙に印刷する印刷手段と、
この印刷手段によって表紙データが施されたアルバムを排出するアルバム提供手段と、
を具備したことを特徴とする写真画像印刷販売装置。
【請求項８】
前記写真画像の印刷状況は、写真印刷物を印刷した印刷枚数あるいは印刷料金であり、前記判定手段によって印刷枚数あるいは印刷料金が所定条件を満たしていることが判定された場合に、表紙データを印刷したアルバムを排出する、
ようにしたことを特徴とする請求項７記載の写真画像印刷販売装置。
【請求項９】
前記保管手段は、写真印刷物のサイズに応じた大きさの収納ポケットを持ったアルバムをサイズ別に複数種保管し、
前記検出手段は、サイズ別に写真画像の印刷状況を検出し、
前記判定手段は、前記検出されたサイズ別の印刷状況が対応サイズの所定条件を満たしているか否かを判定する、
ようにしたことを特徴とする請求項７記載の写真画像印刷販売装置。
【請求項１０】
前記所定条件は、下位レベルの条件と上位レベルの条件を有し、写真画像の印刷状況が上位レベルの条件以上であれば、表紙データを印刷したアルバムを提供し、上位レベル未満で下位レベルの条件以上であれば、表紙データの印刷を行わずにアルバムを排出する、
ようにしたことを特徴とする請求項７記載の写真画像印刷販売装置。
【請求項１１】
前記指定データは、顧客から入力された各写真画像の中からアルバム表紙用として任意に指定された写真画像、顧客から入力された各写真画像の中から印刷対象として指定された写真画像のうち、アルバム表紙用として任意に指定された写真画像、任意に入力指定された文字データ、印刷時期を示すデータのうち、少なくとも何れか１つのデータである、
ことを特徴とする請求項７記載の写真画像印刷販売装置。
【請求項１２】
前記印刷手段は、前記任意指定のデータが存在していない場合には、予め決められているデータをアルバムの表紙に印刷する、
ようにしたことを特徴とする請求項７記載の写真画像印刷販売装置。
【請求項１３】
前記印刷対象の写真画像は、投入された記録メディア内の各写真画像の中から任意に指定された写真画像、外部機器から通信手段を介して送信されて来た写真画像のうち、少なくともその何れかの写真画像である、
ことを特徴とする請求項１、請求項７の何れか記載の写真画像印刷販売装置。
【請求項１４】
コンピュータに対して、
印刷対象の写真画像を個別に印刷することによってその印刷状況を検出する機能と、
検出された印刷状況が所定条件を満たしているか否かを判定する機能と、
写真印刷物を収納整理するための既製アルバムが保管されている状態において、所定条件を満たしていることが判定された場合に、任意の指定データをアルバムの表紙に印刷する機能と、
表紙データが施されたアルバムを排出する機能と、
を実現させるためのプログラム。
【発明の詳細な説明】
【技術分野】
【０００１】
この発明は、写真画像を印刷して販売する写真画像印刷販売装置およびプログラムに関する。
【背景技術】
【０００２】
従来、写真画像を印刷してアルバムを作成する技術としては、例えば、機構的な各プロセスを経由しながら写真画像を両面印刷してアルバムページを作成するようにしたアルバムページ作成装置が知られている（特許文献１参照）。また、写真画像の印刷枚数に基づいて各画像データのレイアウトを各ページ毎に決定しながら製本してポケットアルバムを作成するようにした画像処理方法および装置が知られている（特許文献２参照）。
一方、任意のオリジナル画像を表紙部に印刷して成る写真用アルバムが知られている（特許文献３参照）。
【特許文献１】特開２００１−２２５５７８号公報
【特許文献２】特開２００３−２１１７７４号公報
【特許文献３】特開２００３−０４８３８１号公報
【発明の開示】
【発明が解決しようとする課題】
【０００３】
しかしながら、上述した特許文献１、２においては、写真画像そのものを各ページに印刷してアルバムを作成することを前提とするものであり、印刷された各写真プリントを収納整理するために既に出来上がっている簡易アルバム(既製品)を顧客に提供するものではなかった。また、特許文献３においては、アルバム内に収納整理するための写真画像を印刷するものではなく、また、オリジナル画像を印刷した写真プリントをアルバムの表紙部に施すものであった。
ところで、写真画像を印刷して販売する販売装置においては、顧客に対してアルバムを無料提供するために専用ボックスに収めて自由持ち出しを可能とするサービスを行う場合に、必要部数分以上のアルバムが持ち出されたり、顧客以外の者に持ち出されてしまうおそれがあった。また、無料提供されるアルバムの表紙は、画一的であるため、例えば、家庭用の給紙式プリンタを用いてオリジナル画像を印刷した写真プリントをアルバムの表紙部に張り付けることも考えられるが、手間と時間を要する他、表紙が無地の場合はともかく、図柄等の印刷が施されている場合には、写真プリントの張り付け位置が制限されたり、表紙全体の調和が崩れて不自然なものとなるおそれがあった。
【０００４】
第１の発明の課題は、写真印刷物を収納整理するための既製アルバムを保管しておき、写真画像の印刷販売時に、正規な顧客に対してのみアルバムを提供できると共に、表紙に任意の写真画像を印刷した私用アルバムを提供できるようにすることである。
第２の発明の課題は、写真印刷物を収納整理するための既製アルバムを保管しておき、写真画像の印刷販売時に、正規な顧客に対してのみアルバムを提供できると共に、写真画像の印刷状況が所定条件を満たしている場合に、表紙に任意のデータを印刷した私用アルバムを提供できるようにすることである。
【課題を解決するための手段】
【０００５】
請求項１記載の発明（第１の発明）は、写真画像を印刷して販売する写真画像印刷販売装置であって、写真印刷物を収納整理するための既製アルバムを保管する保管手段と、アルバムの表紙に印刷される表紙画像を写真画像の中から任意に選択する選択手段と、印刷対象として指定された各写真画像を個別に印刷して排出すると共に、前記表紙画像として選択された写真画像をアルバムの表紙に印刷する印刷手段と、この印刷手段によって表紙画像が施されたアルバムを排出するアルバム提供手段とを具備したことを特徴とする。
更に、コンピュータに対して、上述した請求項１記載の発明に示した主要機能を実現させるためのプログラムを提供する（請求項６記載の発明）。
【０００６】
なお、請求項１記載の発明は次のようなものであってもよい。
前記保管手段は、写真印刷物を収納整理するために写真印刷物のサイズに応じた大きさの収納ポケットを持ったアルバムをサイズ別に複数種保管し、前記印刷手段は、印刷対象の写真画像およびその印刷サイズが任意に指定された際に、指定された印刷対象画像をその指定サイズで個別に印刷する他、当該指定サイズに対応する種類のアルバムを選択し、このアルバムの表紙に前記選択された写真画像を印刷する（請求項２記載の発明）。
【０００７】
前記選択手段は、顧客から入力された各写真画像の中からアルバム表紙用として任意に指定された写真画像を選択する（請求項３記載の発明）。
【０００８】
前記選択手段は、前記印刷対象として任意に指定された各写真画像の中からアルバム表紙用として任意に指定された写真画像を選択する（請求項４記載の発明）。
【０００９】
写真印刷物を印刷した印刷枚数を計数する計数手段と、この計数手段によって得られた印刷枚数に応じてアルバムの必要部数を決定する決定手段とを設け、前記選択手段によって前記決定部数に対応する複数の写真画像が選択された場合に、前記印刷手段は、当該部数分の各アルバムに前記選択された何れかの写真画像を対応付けることによって各アルバムの表紙に異なる写真画像をそれぞれ印刷する（請求項５記載の発明）。
【００１０】
前記印刷対象の写真画像は、投入された記録メディア内の各写真画像の中から任意に指定された写真画像、外部機器から通信手段を介して送信されて来た写真画像のうち、少なくともその何れかの写真画像である（請求項１３記載の発明）。
【００１１】
請求項７記載の発明（第２の発明）は、写真画像を印刷して販売する写真画像印刷販売装置であって、写真印刷物を収納整理するための既製アルバムを保管する保管手段と、印刷対象の写真画像を個別に印刷することによってその印刷状況を検出する検出手段と、この検出手段によって検出された印刷状況が所定条件を満たしているか否かを判定する判定手段と、この判定手段によって所定条件を満たしていることが判定された場合に、任意に指定されたデータをアルバムの表紙に印刷する印刷手段と、この印刷手段によって表紙データが施されたアルバムを排出するアルバム提供手段とを具備したことを特徴とする。
更に、コンピュータに対して、上述した請求項７記載の発明に示した主要機能を実現させるためのプログラムを提供する（請求項１４記載の発明）。
【００１２】
なお、請求項７記載の発明は次のようなものであってもよい。
前記写真画像の印刷状況は、写真印刷物を印刷した印刷枚数あるいは印刷料金であり、前記判定手段によって印刷枚数あるいは印刷料金が所定条件を満たしていることが判定された場合に、表紙データを印刷したアルバムを排出する（請求項８記載の発明）。
【００１３】
前記保管手段は、写真印刷物のサイズに応じた大きさの収納ポケットを持ったアルバムをサイズ別に複数種保管し、前記検出手段は、サイズ別に写真画像の印刷状況を検出し、前記判定手段は、前記検出されたサイズ別の印刷状況が対応サイズの所定条件を満たしているか否かを判定する（請求項９記載の発明）。
【００１４】
前記所定条件は、下位レベルの条件と上位レベルの条件を有し、写真画像の印刷状況が上位レベルの条件以上であれば、表紙データを印刷したアルバムを提供し、上位レベル未満で下位レベルの条件以上であれば、表紙データの印刷を行わずにアルバムを排出する（請求項１０記載の発明）。
【００１５】
前記指定データは、顧客から入力された各写真画像の中からアルバム表紙用として任意に指定された写真画像、顧客から入力された各写真画像の中から印刷対象として指定された写真画像のうち、アルバム表紙用として任意に指定された写真画像、任意に入力指定された文字データ、印刷時期を示すデータのうち、少なくとも何れか１つのデータである（請求項１１記載の発明）。
【００１６】
前記印刷手段は、前記任意指定のデータが存在していない場合には、予め決められているデータをアルバムの表紙に印刷する（請求項１２記載の発明）。
【００１７】
前記印刷対象の写真画像は、投入された記録メディア内の各写真画像の中から任意に指定された写真画像、外部機器から通信手段を介して送信されて来た写真画像のうち、少なくともその何れかの写真画像である（請求項１３記載の発明）。
【発明の効果】
【００１８】
請求項１記載の発明（第１の発明）によれば、写真印刷物を収納整理するための既製アルバムが保管されている状態において、印刷対象として指定された各写真画像を個別に印刷して排出すると共に、表紙画像として任意に選択された写真画像をアルバムの表紙に印刷してアルバムを排出するようにしたから、顧客以外の者にアルバムが持ち出されることはなく、写真画像の印刷販売時に正規な顧客に対してのみアルバムを提供することができると共に、顧客が希望する任意の写真画像が表紙部に印刷された私用アルバムを提供することができる。
【００１９】
請求項２記載の発明によれば、上述した請求項１記載の発明と同様の効果を有する他、写真印刷物のサイズに応じた大きさの収納ポケットを持ったアルバムがサイズ別に複数種保管されている状態において、印刷対象の写真画像およびその印刷サイズが任意に指定された際に、指定された印刷対象画像をその指定サイズで個別に印刷する他、当該指定サイズに対応する種類のアルバムを選択し、このアルバムに表紙画像として選択された写真画像を印刷するようにしたから、例えば、Ｌサイズ、２Ｌサイズ、パノラマサイズなどのようにプリントサイズ別に用意されている各種のアルバムの中から今回のプリントサイズに合った種類のアルバムを提供することができる。
【００２０】
請求項３記載の発明によれば、上述した請求項１記載の発明と同様の効果を有する他、記録メディア等によって顧客から入力された各写真画像の中からアルバム表紙用として任意に指定された写真画像を選択するようにしたから、印刷対象外の写真画像、つまり、アルバム内に写真プリンタが収納されていない写真画像であっても、アルバム表紙に印刷することができる。
【００２１】
請求項４記載の発明によれば、上述した請求項１記載の発明と同様の効果を有する他、印刷対象として任意に指定された各写真画像の中からアルバム表紙用として任意に指定された写真画像を選択するようにしたから、アルバムの表紙に印刷される写真画像は、このアルバム内に収納されている写真画像の何れかとなり、表紙画像を見るだけでアルバム内容を想起することができる。
【００２２】
請求項５記載の発明によれば、上述した請求項１記載の発明と同様の効果を有する他、写真印刷物の印刷枚数に応じてアルバムの必要部数を決定し、この部数に対応する複数の写真画像が表紙画像として選択された場合に、当該部数分の各アルバムに表紙画像として選択された何れかの写真画像を対応付けることによって各アルバムの表紙に異なる写真画像をそれぞれ印刷するようにしたから、多数の写真プリントを複数のアルバムに分けて収納したとしても、表紙画像の違いによって各アルバム内容を容易に識別することができると共に、各アルバム内容を時系列的に見ることもできる。
【００２３】
請求項１３記載の発明によれば、上述した請求項１記載の発明と同様の効果を有する他、投入された記録メディア内の各写真画像の中から任意に指定された写真画像、外部機器から通信手段を介して送信されて来た写真画像のうち、少なくともその何れかの写真画像を印刷対象の写真画像としたから、記録メディア内の各写真画像に限らず、外部機器から通信手段を介して送信されて来た写真画像を印刷して販売することができる。
【００２４】
請求項７記載の発明（第２の発明）によれば、写真印刷物を収納整理するための既製アルバムが保管されている状態において、印刷対象の写真画像を個別に印刷することによってその印刷状況を検出し、この印刷状況が所定条件を満たしている場合に、任意に指定されたデータをアルバムの表紙に印刷してアルバムを排出するようにしたから、顧客以外の者にアルバムが持ち出されることはなく、写真画像の印刷販売時に、正規な顧客に対してのみアルバムを提供できると共に、所定の条件下で表紙印刷サービスを提供することができる。この場合において、上述した所定条件は、写真印刷物を印刷した印刷枚数あるいは印刷料金であってもよい(請求項８記載の発明)。
【００２５】
請求項９記載の発明によれば、上述した請求項７記載の発明と同様の効果を有する他、写真印刷物のサイズに応じた大きさの収納ポケットを持ったアルバムがサイズ別に複数種保管されている状態において、サイズ別に検出された印刷状況が対応サイズの所定条件を満たしているか否かを判定するようにしたから、写真印刷物のサイズに合った種類のアルバムを排出する場合に、例えば、その殆どがＬサイズで、その他の２Ｌサイズやパノラマサイズが極少数であれば、Ｌサイズ対応のアルバムのみを提供することができる。
【００２６】
請求項１０記載の発明によれば、上述した請求項７記載の発明と同様の効果を有する他、写真画像の印刷状況が上位レベルの条件以上であれば、表紙データを印刷したアルバムを提供し、上位レベル未満で下位レベルの条件以上であれば、表紙データの印刷を行わずにアルバムを排出するようにしたから、写真画像の印刷状況に応じたサービスを提供することができる。すなわち、正規な顧客であっても無条件にアルバムを提供するのではなく、例えば、アルバムに収納整理する必要がない程、印刷枚数が少ない場合には、アルバムを提供しないようにしているため、無駄を防ぎ、過剰サービスを抑えることができ、また、アルバムコスト等を考慮して採算がとれる顧客である場合にアルバムを提供すると共に、表紙印刷サービスを提供することができ、販売促進上有効なものとなる。つまり、当初の印刷枚数／印刷料金に数枚程度を追加するだけで印刷枚数／印刷料金が条件を満たすような場合には、その追加を期待することができ、販売促進上有効なものとなる。
【００２７】
請求項１１記載の発明によれば、上述した請求項７記載の発明と同様の効果を有する他、顧客から入力された各写真画像の中からアルバム表紙用として任意に指定された写真画像、顧客から入力された各写真画像の中から印刷対象として指定された写真画像のうち、アルバム表紙用として任意に指定された写真画像、任意に入力指定された文字データ、印刷時期を示すデータのうち、少なくとも何れか１つのデータを表紙用のデータとして任意に指定するようにしたから、顧客の好みに応じた表紙印刷が可能となる。
【００２８】
請求項１２記載の発明によれば、上述した請求項７記載の発明と同様の効果を有する他、顧客から表紙データが指定されない場合には、予め決められているデータをアルバムの表紙に印刷するようにしたから、例えば、動物、植物、風景、著名人あるいは広告宣伝に有効な写真や図形画像等を表紙画像として印刷するようにすれば、無地の表紙とはならず、効果的なものとなる。
なお、第２の発明においても、上述した請求項１３記載の発明と同様の効果を有する。
【発明を実施するための最良の形態】
【００２９】
以下、図１〜図１１を参照して本発明の実施例を説明する。
図１は、この実施例における写真画像印刷販売装置の全体を示した外観斜視図である。
この写真画像印刷販売装置は、顧客からの写真画像を印刷して販売するための自動販売機である。すなわち、この写真画像印刷販売装置は、例えば、コンビニエンス・ストアや街中などに設置されたもので、カメラ撮影された写真画像群を記録する記録メディア(ＤＶＤ等)が投入された際に、この記録メディアから写真画像群を読み出して高品質印刷を行い、この写真印刷物(写真プリント)を排出して販売するプリント・ベンダ(ＰＶ)である。
【００３０】
この本体の前面部には、図示のように、記録メディア投入用のスロット群１、タッチパネル付きディスプレイ２、写真プリント／アルバム取出口３、紙幣投入口４、硬貨投入口５、返却レバー６、釣銭返却口７、レシート受取口８などが設けられている。
記録メディア投入用スロット群１は、顧客から投入される記録メディアのサイズや形状などに応じて使用可能な複数種（７種類）の記録メディアに対応したスロット群である。
タッチパネル付きディスプレイ２は、操作ガイダンスや操作ボタンを表示したり、各種のメッセージ情報を表示するタッチパネル付きのディスプレイ画面である。
【００３１】
写真プリント／アルバム取出口３は、印刷された各写真プリントと、それらを収納整理するためのアルバムが排出される写真プリント／アルバム用の取出口(受け取り口)である。ここで、アルバムは、表紙と裏表紙間の各ページに写真プリントを収納整理する透明シート製の収納ポケットが設けられた既製アルバムであり、顧客に対して一定の条件下で無料提供される。なお、紙幣投入口４、硬貨投入口５、返却レバー６、釣銭返却口７は、通常の自動販売機に備えられているものと同様であり、また、レシート受取口８は、取引終了時に印刷枚数、料金、投入金額、釣銭、各種メッセージなどが印刷された提供レシートが排出される。
【００３２】
図２は、写真画像印刷販売装置の基本的な構成要素を示したブロック図である。
ＣＰＵ１１は、記憶部１２内のオペレーティングシステムや各種アプリケーションソフトに従ってこの写真画像印刷販売装置の全体動作を制御する中央演算処理装置である。記憶部１２は、プログラム領域とデータ領域とを有し、磁気的／光学的メモリや半導体メモリ等の他、その駆動系を有する構成となっている。この記憶部１２内のプログラム領域には、後述する図６〜図１０に示す動作手順に従って本実施例を実現する為のアプリケーションプログラムが格納され、また、そのデータ領域には、後述する図３〜図５に示すデータ（画像選択テーブル、サイズ別集計テーブル、表紙画像テーブル）が格納されている。なお、記憶部１２は、ハードディスク等の固定メモリであるが、この記憶部１２の他に、ＣＤ−ＲＯＭ、ＤＶＤ等の着脱自在な記憶媒体１３が設けられている。
【００３３】
更に、ＣＰＵ１１は、伝送部１４を介して他の電子機器側のプログラム／データを直接アクセスしたり、伝送部１４を介して写真画像等をダウンロード受信することもできる。一方、ＣＰＵ１１には、各種の入出力周辺デバイスが接続されている。すなわち、入出力周辺デバイスとして、上述した記録メディア投入用スロット群１に連結されている記録メディア受付装置１５と、タッチパネル付きディスプレイ２を構成する表示部１６および操作部１７と、写真プリント／アルバム取出口３に連結されている写真プリンタ装置１８および写真アルバム処理装置１９と、紙幣投入口４、硬貨投入口５、返却レバー６、釣銭返却口７に連結されている金銭授受装置２０を有している。
記録メディア受付装置１５は、記録メディアが投入された際に、この記録メディアをアクセスして各写真画像を順次読み取るもので、写真画像を読み取る毎に各画像データは、ＣＰＵ１１に与えられる。
【００３４】
写真プリンタ装置１８は、記録メディアからＣＰＵ１１を介して転送されて来た各写真画像を内部メモリに一時記憶しながら一枚ずつ印刷するもので、例えば、高品位・高速印刷が可能なマルチカラーレーザプリンタによって構成され、プリント・ベンダの中核を成すＣＰＵ１１とは独立して印刷動作を行う。この場合、記録メディアに記録されている各写真画像の中から印刷対象の写真画像およびその印刷サイズ(プリントサイズ)などが任意に指定された際に、ＣＰＵ１１は、指定された印刷対象画像および指定サイズを写真プリンタ装置１８へ転送するが、その際、写真プリンタ装置１８は、記録紙格納部２１の中から指定サイズに相当する記録紙を取り出しながら印刷対象画像を指定サイズで個別に印刷した後、各写真プリントを一括排出させる。なお、記録紙格納部２１には、Ｌサイズ、２Ｌサイズ、パノラマサイズなどのように異なるサイズの記録紙が分類格納されている。
【００３５】
写真アルバム処理装置１９は、アルバム格納部２２に収納保管されている各種のアルバムの中から写真プリントのサイズに対応する種類のアルバムを取り出すと共に、このアルバムの表紙部に任意に選択された写真画像を印刷して排出させるものである。すなわち、写真アルバム処理装置１９には、アルバム表紙に画像印刷を行うための専用プリンタが設けられており、この専用プリンタによって表紙の一部(例えば、中央部分)に所定サイズ(例えば、表紙の略１／２サイズ)の表紙画像を印刷した後、この印刷部分を保護する皮膜を張り付けることによって表面加工を施すようにしている。
【００３６】
アルバム格納部２２には、写真プリントのサイズに対応する複数種のアルバムが分類格納されている。なお、アルバムを構成する全ての収納ポケットは、写真プリントのサイズに相当する形状となっており、写真プリントのサイズに応じて各アルバムは、Ｌサイズ、２Ｌサイズ、パノラマサイズ等に分類されたものである。金銭授受装置２０は、投入金額を計数してＣＰＵ１１に与えたり、ＣＰＵ１１からの指示に従って釣銭を排出する通常の構成となっている。表示部１６および操作部１７は、液晶表示装置、ＣＲＴ表示装置、プラズマ表示装置等のディスプレイ画面にタッチパネルを貼り付けた構成となっている。
【００３７】
図３は、画像選択テーブル３１の構成を示した図である。
この画像選択テーブル３１は、記録メディア内の各写真画像のうち、印刷対象として任意に選択された画像毎にその「選択画像Ｎｏ」、「選択有無」、「印刷サイズ」の各項目を一時記憶するもので、「選択画像Ｎｏ」は、記録メディア内から取得した画像識別データである。「選択有無」は、印刷対象として選択されたか否かを示すデータであり、図中、丸印は、選択有り、×印は選択無しを示している。「印刷サイズ」は、印刷対象を選択する際に、顧客によって任意に入力指定されたプリントサイズであり、例えば、Ｌサイズ、２Ｌサイズ、パノラマサイズ等である。なお、画像選択テーブル３１は、１顧客分の各写真画像に関するデータを一時記憶するもので、この内容は当該顧客との取引終了時に消去されるが、取引履歴として保存ファイル(図示せず)に転送するようにしてもよい。
【００３８】
図４は、サイズ別集計テーブル３２の構成を示した図である。
サイズ別集計テーブル３２は、画像選択テーブル３１の内容(１顧客分のデータ)を集計したもので、ＣＰＵ１１は、画像選択テーブル３１を参照し、印刷対象として選択されている各画像の印刷サイズを判別しながら印刷サイズ毎にその印刷枚数を集計し、その結果をサイズ別集計テーブル３２にセットする。サイズ別集計テーブル３２は、印刷サイズ毎に「集計枚数」と「アルバム部数」を記憶する構成となっている。「アルバム部数」は、無料にて提供するアルバムの提供部数を示すもので、ＣＰＵ１１は、写真プリントのサイズ別「集計枚数」に基づいてどの種類のアルバムを何部提供するかを決定してサイズ別集計テーブル３２にセットする。この場合、サイズ別集計枚数が当該サイズに対応して予め設定されている「最低枚数」以上であることを条件に、アルバムを無料にて提供するようにしている。
【００３９】
図５は、表紙画像テーブル３３の構成を示した図である。
この表紙画像テーブル３３は、アルバムの表紙部に印刷される画像データがセットされるもので、アルバムサイズ毎にその部数分の表紙用画像データがセットされる。すなわち、この例では、Ｌサイズのアルバムを２部提供、２Ｌサイズのアルバムを１部提供するために、サイズ毎にその部数分の表紙用画像データがセットされた場合を示している。この表紙用画像データは、記録メディア内の各写真画像の中から表紙用として任意に選択されたもので、各アルバムの表紙に同一画像を印刷するか、アルバム毎に異なる画像を印刷するかは任意である。
【００４０】
次に、この実施例における写真画像印刷販売装置の動作概念を図６〜図１０に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体の他に、伝送媒体を介して外部供給されたプログラム／データを利用してこの実施例特有の動作を実行することもできる。
【００４１】
図６〜図８は、写真画像印刷販売装置(本体ＰＶ)の全体動作を示したフローチャートである。
先ず、ＣＰＵ１１は、記録メディアの投入待ち状態において(ステップＡ１)、記録メディアが投入されると、この記録メディアから各写真画像を順次読み出して(ステップＡ２)、各写真画像を一覧表示(サムネイル表示)させる(ステップＡ３)。この一覧画面には、プリントサイズを選択するためのサイズ選択ボタン等も併せて表示されており、この一覧画面上の任意の写真画像がタッチ指定されることによって当該写真画像が印刷対象として選択されると共に(ステップＡ４)、サイズ選択ボタンがタッチ操作されることによって当該印刷対象画像のプリントサイズが任意に選択されると(ステップＡ５)、ＣＰＵ１１は、記録メディア内の各写真画像毎にその「画像Ｎｏ」および「選択有無」を画像選択テーブル３１をセットすると共に、印刷対象画像に対応してそのサイズ情報を画像選択テーブル３１の対応する項目にセットする(ステップＡ６)。
【００４２】
そして、印刷対象の選択終了がユーザ指示されたかをチェックし(ステップＡ７)、終了指示があるまでステップＡ３に戻って上述の動作を繰り返す(ステップＡ３〜Ａ７)。いま、終了指示を受けた場合には、画像選択テーブル３１の内容に基づいて合計料金を計算して料金表示を行う(ステップＡ８)。ここで、料金分の金額が投入されたかをチェックし(ステップＡ９)、料金分の金額が投入されなければ、この時点で記録メディアを排出させて強制終了となるが、料金分の金額が投入された場合には、画像選択テーブル３１および印刷対象の各画像データを写真プリンタ装置１８に転送して、画像印刷の指示を行う(ステップＡ１０)。
【００４３】
図９は、写真プリンタ装置１８側の動作を示したフローチャートである。
先ず、写真プリンタ装置１８は、データ転送の待ち状態において(ステップＢ１)、本体ＰＶからのデータ転送を検出すると、画像選択テーブル３１および各画像データを受け取って一時記憶保持しておく(ステップＢ２)。この状態において、画像選択テーブル３１をアクセスし、その先頭レコードから「選択有無」をチェックしながら“選択有り”の画像データを読み出し(ステップＢ３)、この画像データをその「印刷サイズ」に変更しながら画像印刷を行う(ステップＢ４)。これによって１画像分の印刷が終了すると、全選択画像分の印刷が終了したかをチェックし(ステップＢ５)、全選択画像の印刷が終了するまで１画像毎に上述の動作を繰り返す(ステップＢ３〜Ｂ５)。ここで、全印刷の終了が検出されると、全ての写真プリントを一括排出させた後に(ステップＢ６)、本体ＰＶに対して印刷終了を通知する(ステップＢ７)。
【００４４】
一方、本体ＰＶ側においては、画像選択テーブル３１および画像データを写真プリンタ装置１８に転送した後に、図７のステップＡ１１に移り、画像選択テーブル３１を参照して印刷対象画像毎にそのプリントサイズを判別しながらプリントサイズ毎に印刷枚数を集計し、その結果(サイズ別集計枚数)をサイズ別集計テーブル３２にセットする。そして、サイズ別集計テーブル３２を検索して「Ｌサイズ」がセットされているかを調べ(ステップＡ１２)、「Ｌサイズ」が有れば、この「集計枚数」をサイズ別集計テーブル３２から読み出し、「集計枚数」は、“１０枚”以上か、つまり、アルバムを無料提供するための条件として予め決められている最低枚数以上かを調べ(ステップＡ１３)、“１０枚”未満であれば、Ｌサイズのアルバムを提供せずにステップＡ１９に移る。
【００４５】
いま、Ｌサイズが“１０枚”以上であれば(ステップＡ１３でＹＥＳ)、更に、“２０枚”以上か、つまり、無料提供するアルバムの表紙部に画像印刷を施すサービスを提供するための条件として予め決められている最低枚数以上かを調べ(ステップＡ１４)、“１０枚”以上で“２０枚”未満の場合には、アルバムを無料提供するためにステップＡ１５に移り、Ｌサイズのアルバムを１部排出すべきことを写真アルバム処理装置１９に対して指示する。また、Ｌサイズが“２０枚”以上であれば、更に、“４０枚”以上かを調べる(ステップＡ１６)。なお、Ｌサイズのアルバムは、写真プリントを収納可能な最大収納枚数が４０枚の場合を示し、“２０枚”以上で“４０枚”未満の場合には、１つのアルバム内に全ての写真プリントを収納可能なために、Ｌサイズ対応の「アルバム部数」としてサイズ別集計テーブル３２に“１”をセットするが(ステップＡ１７)、“４０枚”以上であれば、Ｌサイズの「集計枚数」に基づいて「アルバム部数」を算出し、その値をＬサイズの「アルバム部数」としてサイズ別集計テーブル３２にセットする(ステップＡ１８)。
【００４６】
そして、ステップＡ１９に移り、サイズ別集計テーブル３２を検索して「２Ｌサイズ」がセットされているかを調べ、「２Ｌサイズ」が有れば、上述の場合と同様の処理が行われる。すなわち、２Ｌサイズの「集計枚数」は、“１０枚”以上かを調べ(ステップＡ２０)、“１０枚”未満であれば、２Ｌサイズのアルバムを提供せずにステップＡ２６に移るが、２Ｌサイズが“１０枚”以上であれば、更に、“２０枚”以上かかを調べ(ステップＡ２１)、“１０枚”以上で“２０枚”未満の場合には、アルバムを無料提供するためにステップＡ２２に移り、２Ｌサイズのアルバムを１部排出すべきことを写真アルバム処理装置１９に対して指示する。
【００４７】
また、Ｌサイズが“２０枚”以上であれば(ステップＡ２１でＹＥＳ)、更に、“４０枚”以上かを調べ(ステップＡ２３)、“２０枚”以上で“４０枚”未満の場合には、１つのアルバム内に全ての写真プリントを収納可能なために、２Ｌサイズ対応の「アルバム部数」としてサイズ別集計テーブル３２に“１”をセットするが(ステップＡ２４)、“４０枚”以上であれば、２Ｌサイズの「集計枚数」に基づいて「アルバム部数」を算出し、その値を２Ｌサイズの「アルバム部数」としてサイズ別集計テーブル３２にセットする(ステップＡ２５)。そして、ステップＡ２６に移り、サイズ別集計テーブル３２の「アルバム部数」をアクセスし、何れかのサイズに対応してその部数データがセットされているかを調べる。
【００４８】
ここで、「アルバム部数」がセットされていなければ、最初のステップＡ１に戻って記録メディアの投入待ち状態となるが、何れかのサイズに「アルバム部数」がセットされている場合には、アルバム表紙に画像を印刷させるための前処理が行われる。先ず、ＣＰＵ１１は、表紙印刷サービスを実施するための条件に適用した旨を案内する適用メッセージを表示出力させると共に(図８のステップＡ２７)、投入されている記録メディア内の各写真画像を読み出して再度一覧表示させ(ステップＡ２８)、更には、サイズ別集計テーブル３２の内容を読み出してサイズ別のアルバム部数を表紙画像選択可能枚数として表示出力させる(ステップＡ２９)。
【００４９】
図１１は、表紙印刷サービスを実施するための条件に適用した旨の適用画面を示した図である。
この適用画面は、「表紙印刷サービス」のメッセージＡと共に、記録メディア内の各画像Ｂが一覧表示される他、サイズ別アルバム部数Ｃが表示されるもので、このサイズ別アルバム部数Ｃに対応付けられた各サイズ選択ボタンＤと、非選択ボタンＥが配置表示されている。ここで、各サイズ選択ボタンＤは、一覧表示の各画像Ｂの中から任意に選択した画像を表紙画像として使用する場合にアルバムサイズを指定するための選択ボタンであり、非選択ボタンＥは、一覧表示の各画像Ｂの中から表紙画像を選択しない場合に操作されるボタンである。
【００５０】
このような適用画面が表示されている状態において、何らかのボタンが操作されると(ステップＡ３０でＹＥＳ)、一覧表示の各画像Ｂの中から任意の画像を表紙画像として選択するための画像選択操作であるかを調べる(ステップＡ３１)。この場合、画像一覧の中から表紙画像を選択する場合には、一覧画面内の任意の位置をタッチ指定すると共に、何れのサイズ選択ボタンＤを操作するが、画像一覧の中から表紙画像を選択しない場合には、非選択ボタンＥを操作する。
【００５１】
いま、画像一覧の中から表紙画像を選択するために、一覧画面内の任意の位置がタッチ指定されると、ステップＡ３２に移り、サイズＬでの選択かを調べる。ここで、Ｌサイズ対応の選択ボタンＤが操作された場合には(ステップＡ３２でＹＥＳ)、選択された画像データとＬサイズとを対応付けて表紙画像テーブル３３にセットするが(ステップＡ３３)、２Ｌサイズ対応の選択ボタンＤが操作された場合には(ステップＡ３２でＮＯ)、選択された画像データと２Ｌサイズとを対応付けて表紙画像テーブル３３にセットする(ステップＡ３４)。
【００５２】
以下、サイズ別集計テーブル３２にセットされている各サイズ毎に、そのアルバム部数の画像選択が終わるまで(ステップＡ３５)、画像一覧の中から表紙画像を任意に選択しながら(ステップＡ３６)、上述の動作を繰り返す(ステップＡ３２〜Ａ３６)。なお、図１１の例では、Ｌサイズが２部、２Ｌサイズが１部であるから、表紙画像テーブル３３には、図５に示すように、１レコード目および１レコード目には、Ｌサイズと選択画像データがセットされ、３レコード目には、２Ｌサイズと選択画像データがセットされる。これによって各サイズ毎にその部数分の画像データを選択し終わると(ステップＡ３５でＹＥＳ)、写真アルバム処理装置１９に対して印刷指示を与えると共に(ステップＡ３９)、表紙画像テーブル３３を転送する(ステップＡ４０)。
【００５３】
一方、非選択ボタンＥが操作された場合には(ステップＡ３１でＮＯ)、予め用意されているデフォルト画像を表紙画像とするために、全サイズのアルバム部数を合計し、この合計数分のデフォルト画像を選択し(ステップＡ３７)、サイズ情報と共にデフォルト画像を表紙画像テーブル３３にセットする(ステップＡ３８)。なお、デフォルト画像を固定的に選択するようにしてもよいが、任意に選択するようにしてもよく、また、全て同一のデフォルト画像を選択する場合に限らず、アルバム毎に異なるデフォルト画像を選択するようにしてもよい。また、デフォルト画像としては、例えば、動物、植物、風景、著名人あるいは広告宣伝に有効な写真や図形画像等であってもよい。次に、上述の場合と同様、写真アルバム処理装置１９に対して印刷指示を与えると共に(ステップＡ３９)、表紙画像テーブル３３を転送する(ステップＡ４０)。
【００５４】
図１０は、写真アルバム処理装置１９側の動作を示したフローチャートである。
先ず、写真アルバム処理装置１９は、本体ＰＶからの指示待ち状態において(ステップＣ１)、何らかの指示を受け取ると、アルバム排出指示か表紙印刷指示かをチェックし(ステップＣ２)、排出指示であれば、サイズ対応のアルバムを１部取り出して排出させるが(ステップＣ３)、印刷指示であれば、表紙画像テーブル３３を受け取る(ステップＣ４)。
そして、表紙画像テーブル３３の先頭から１レコードを指定し、この指定レコード内のサイズに対応するアルバムを取り出して専用プリンタにセットした後に(ステップＣ５)、この専用プリンタによって表紙の中央部に画像データを印刷すると共に、この印刷部分に表面加工を施した後にアルバム排出を行う(ステップＣ６)。以下、全部数分の表紙印刷とアルバム排出が終わるまで(ステップＣ７)、上述の動作を繰り返す。これによって全部数分の表紙印刷とアルバム排出が終わると、本体ＰＶに対して終了通知を行う(ステップＣ８)。
【００５５】
以上のように、この実施例においては、写真プリントを収納整理するための既製アルバムが保管されている状態において、写真プリンタ装置１８は、印刷対象として指定された各写真画像を個別に印刷して排出すると共に、写真アルバム処理装置１９は、表紙画像として任意に選択された写真画像をアルバムの表紙に印刷してアルバムを排出するようにしたから、顧客以外の者にアルバムが持ち出されることはなく、写真画像の印刷販売時に、正規な顧客に対してのみアルバムを提供できると共に、顧客が希望する任意の写真画像が表紙部に印刷されたアルバムを提供することができる。
【００５６】
この場合、写真プリントのサイズに応じた大きさの収納ポケットを持ったアルバムがサイズ別に複数種保管されている状態において、印刷対象の写真画像およびそのプリントサイズが任意に指定された際に、写真プリンタ装置１８は、指定された印刷対象画像をその指定サイズで個別に印刷する他、写真アルバム処理装置１９は、当該指定サイズに対応する種類のアルバムを選択し、このアルバムに表紙画像として選択された写真画像を印刷するようにしたから、例えば、Ｌサイズ、２Ｌサイズ、パノラマサイズなどのようにプリントサイズ別に用意されている各種のアルバムの中から今回のプリントサイズに合った種類のアルバムを提供することができる。
【００５７】
また、記録メディア内の各写真画像の中から印刷対象外の写真画像がアルバム表紙用として任意に選択された場合には、アルバムに写真プリンタが収納されていない画像であっても、アルバム表紙に印刷することができ、また、印刷対象として任意に指定された各写真画像の中からアルバム表紙用として任意の写真画像が選択された場合には、アルバムの表紙に印刷される写真画像は、このアルバム内に収納されている写真画像の何れかとなり、表紙画像を見るだけでアルバム内容を想起することができる。
【００５８】
ＣＰＵ１１は、写真プリントのサイズ別集計枚数に応じてアルバムの必要部数を決定し、この部数に対応する複数の写真画像が表紙画像として選択された場合に、写真アルバム処理装置１９は、当該部数分の各アルバムに表紙画像として選択された何れかの写真画像を対応付けることによって各アルバムの表紙に異なる写真画像をそれぞれ印刷するようにしたから、多数の写真プリントを複数のアルバムに分けて収納したとしても、表紙画像の違いによって各アルバム内容を容易に識別することができると共に、各アルバム内容を時系列的に見ることもできる。
【００５９】
写真プリントのサイズ別集計枚数が所定条件(２０枚以上)である場合に、任意に指定された画像データをアルバムの表紙に印刷してアルバムを排出するようにしたから、所定の条件下で表紙印刷サービスを提供することができる。
この場合、写真プリントのサイズに応じた大きさの収納ポケットを持った既製アルバムがサイズ別に複数種保管されている状態において、サイズ別集計枚数が対応サイズの所定条件を満たしているか否かにに基づいて写真プリントのサイズに合った種類のアルバムを排出するようにしたから、例えば、その殆どがＬサイズで、その他の２Ｌサイズやパノラマサイズが極少数であれば、Ｌサイズ対応のアルバムのみを提供することができる。
【００６０】
また、サイズ別集計枚数が上位レベルの条件(２０枚)以上であれば、表紙データを印刷したアルバムを提供し、上位レベルの４０枚未満で下位レベル(２０枚)以上であれば、表紙データの印刷を行わずにアルバムを排出するようにしたから、写真画像の印刷状況に応じたサービスを提供することができる。すなわち、正規な顧客であっても無条件にアルバムを提供するのではなく、例えば、アルバムに収納整理する必要がない程、印刷枚数が少ない場合には、アルバムを提供しないようにしているため、無駄を防ぎ、過剰サービスを抑えることができ、また、アルバムコスト等を考慮して採算がとれる顧客である場合にアルバムを提供すると共に、表紙印刷サービスを提供することができる。また、当初の印刷枚数／印刷料金に数枚程度を追加するだけで印刷枚数／印刷料金が条件を満たすような場合には、その追加を期待することができ、販売促進上有効なものとなる。
【００６１】
また、記録メディア内の写真画像が表紙画像として選択されない場合には、予め決められているデフォルト画像をアルバムの表紙に印刷するようにしたから、例えば、動物、植物、風景、著名人あるいは広告宣伝に有効な写真や図形画像等を表紙画像として印刷するようにすれば、無地の表紙とはならず、効果的なものとなる。
【００６２】
なお、上述した実施例においては、サイズ別に写真プリントの集計枚数が当該サイズに対応する所定条件以上である場合に、そのサイズに対応する種類のアルバムを排出するようにしたが、料金(合計金額)が 所定金額以上であることを条件に、つまり、アルバムコスト等を考慮して採算がとれる顧客であることを条件にアルバムを提供するようにしてもよい。
また、上述した第１実施例においては、投入された記録メディア内の各写真画像の中から任意に指定された写真画像を印刷するようにしたが、外部機器から通信手段を介して送信されて来た写真画像を印刷するようにしてもよい。
【００６３】
また、上述した実施例においては、記録メディア内の写真画像を表紙画像としたが、画像印刷に限らず、任意に指定されたデータを表紙印刷するようにしてもよい。例えば、撮影場所、行事名等のように任意に入力された文字データ、印刷時の年月日や時刻等を印刷するようにすれば、更に、顧客の好みに応じた表紙印刷が可能となる。
【００６４】
一方、コンピュータに対して、上述した各手段を実行させるためのプログラムコードをそれぞれ記録した記録媒体（例えば、ＣＤ−ＲＯＭ、フレキシブルディスク、ＲＡＭカード等）を提供するようにしてもよい。すなわち、コンピュータが読み取り可能なプログラムコードを有する記録媒体であって、写真印刷物を収納整理するための既製アルバムが保管されている状態において、このアルバムの表紙に印刷される表紙画像を写真画像の中から任意に選択する機能と、印刷対象として指定された各写真画像を個別に印刷して排出すると共に、前記表紙画像として選択された写真画像をアルバムの表紙に印刷する機能と、表紙画像が施されたアルバムを排出する機能とを実現させるためのプログラムを記録したコンピュータが読み取り可能な記録媒体を提供するようにしてもよい。
【００６５】
また、コンピュータが読み取り可能なプログラムコードを有する記録媒体であって、印刷対象の写真画像を個別に印刷することによってその印刷状況を検出する機能と、検出された印刷状況が所定条件を満たしているか否かを判定する機能と、写真印刷物を収納整理するための既製アルバムが保管されている状態において、所定条件を満たしていることが判定された場合に、任意の指定データをアルバムの表紙に印刷する機能と、表紙データが施されたアルバムを排出する機能とを実現させるためのプログラムを記録したコンピュータが読み取り可能な記録媒体を提供するようにしてもよい。
【図面の簡単な説明】
【００６６】
【図１】写真画像印刷販売装置の全体を示した外観斜視図。
【図２】写真画像印刷販売装置の基本的な構成要素を示したブロック図。
【図３】画像選択テーブル３１の構成を示した図。
【図４】サイズ別集計テーブル３２の構成を示した図。
【図５】表紙画像テーブル３３の構成を示した図。
【図６】写真画像印刷販売装置(本体ＰＶ)の全体動作を示したフローチャート。
【図７】図６に続く、写真画像印刷販売装置の全体動作を示したフローチャート。
【図８】図６、図７に続く、写真画像印刷販売装置の全体動作を示したフローチャート。
【図９】写真プリンタ装置１８側の動作を示したフローチャート。
【図１０】写真アルバム処理装置１９側の動作を示したフローチャート。
【図１１】表紙印刷サービスを実施するための条件に適用した旨の適用画面を示した図。
【符号の説明】
【００６７】
１  記録メディア投入用のスロット群
２  タッチパネル付きディスプレイ
３  写真プリント／アルバム取出口
１１  ＣＰＵ
１２  記憶部
１４  伝送部
１５  記録メディア受付装置
１８  写真プリンタ装置
１９  写真アルバム処理装置
２０  金銭授受装置
２２  アルバム格納部
３１  画像選択テーブル
３２  サイズ別集計テーブル
３３  表紙画像テーブル
【図１】
2005212427.tif 000003
【図２】
2005212427.tif 000004
【図３】
2005212427.tif 000005
【図４】
2005212427.tif 000006
【図５】
2005212427.tif 000007
【図６】
2005212427.tif 000008
【図７】
2005212427.tif 000009
【図８】
2005212427.tif 000010
【図９】
2005212427.tif 000011
【図１０】
2005212427.tif 000012
【図１１】
2005212427.tif 000013